(57)【要約】【課題】  障子上部の上枠との掛かりが無くなったときでも、障子が枠から外れるのを防止できる建具の提供。【解決手段】  枠１と、上下枠に沿って摺動可能に設けた障子２とを備え、障子２は、上框４の室内外方向の一方側に位置する一方側壁５と他方側に位置する他方側壁６との間に補助材７が設けてあり、補助材７は室内外方向の一方側に位置する一方側壁８を有し、上框の他方側壁６と補助材の一方側壁８とが上枠１１の障子案内レール９と見込方向で重合しており、補助材７は、一方側壁８の上端が上框４の他方側壁６の上端よりも上方に位置するように上方に付勢してある。【選択図】      図１
2019203378.tif 000002
【特許請求の範囲】
【請求項１】
枠と、上下枠に沿って摺動可能に設けた障子とを備え、障子は、上框の室内外方向の一方側に位置する一方側壁と他方側に位置する他方側壁との間に補助材が設けてあり、補助材は室内外方向の一方側に位置する一方側壁を有し、上框の他方側壁と補助材の一方側壁とが上枠の障子案内レールと見込方向で重合しており、補助材は、一方側壁の上端が上框の他方側壁の上端よりも上方に位置するように上方に付勢してあることを特徴とする建具。
【請求項２】
枠と、上下枠に沿って摺動可能に設けた障子とを備え、障子は、上框の室内外方向の一方側に位置する一方側壁と他方側に位置する他方側壁との間に補助材が設けてあり、補助材は室内外方向の一方側に位置する一方側壁を有し、障子上部が上枠の障子案内溝に案内してあり、上框の他方側壁と補助材の一方側壁とが上枠の障子案内溝の他方側の垂下片と見込方向で重合しており、補助材は、一方側壁の上端が上框の他方側壁の上端よりも上方に位置するように上方に付勢してあることを特徴とする建具。
【発明の詳細な説明】
【技術分野】
【０００１】
本発明は、上下枠に沿って摺動する障子を備える建具に関する。
【背景技術】
【０００２】
引戸式のサッシの障子は、上枠と下枠間に上下けんどん式に建て込んでいるが、障子が下がると、障子上部の上枠のレールとの掛かりが無くなり、外障子が室外側に、内障子が室内側に外れるおそれがあった。
【発明の概要】
【発明が解決しようとする課題】
【０００３】
本発明は以上に述べた実情に鑑み、障子上部の上枠との掛かりが無くなったときでも、障子が枠から外れるのを防止できる建具の提供を目的とする。
【課題を解決するための手段】
【０００４】
上記の課題を達成するために請求項１記載の発明による建具は、枠と、上下枠に沿って摺動可能に設けた障子とを備え、障子は、上框の室内外方向の一方側に位置する一方側壁と他方側に位置する他方側壁との間に補助材が設けてあり、補助材は室内外方向の一方側に位置する一方側壁を有し、上框の他方側壁と補助材の一方側壁とが上枠の障子案内レールと見込方向で重合しており、補助材は、一方側壁の上端が上框の他方側壁の上端よりも上方に位置するように上方に付勢してあることを特徴とする。
【０００５】
請求項２記載の発明による建具は、枠と、上下枠に沿って摺動可能に設けた障子とを備え、障子は、上框の室内外方向の一方側に位置する一方側壁と他方側に位置する他方側壁との間に補助材が設けてあり、補助材は室内外方向の一方側に位置する一方側壁を有し、障子上部が上枠の障子案内溝に案内してあり、上框の他方側壁と補助材の一方側壁とが上枠の障子案内溝の他方側の垂下片と見込方向で重合しており、補助材は、一方側壁の上端が上框の他方側壁の上端よりも上方に位置するように上方に付勢してあることを特徴とする。
【発明の効果】
【０００６】
請求項１記載の発明による建具は、上框の一方側壁と他方側壁との間に補助材が設けてあり、補助材は一方側壁を有し、上框の他方側壁と補助材の一方側壁とが上枠の障子案内レールと見込方向で重合しており、補助材は、一方側壁の上端が上框の他方側壁の上端よりも上方に位置するように上方に付勢してあるので、障子が下がって上框の他方側壁の障子案内レールとの掛かりがなくなっても、補助材の一方側壁が上枠に引っ掛かることで、障子が枠から外れるのを防止できる。
【０００７】
請求項２記載の発明による建具は、上框の一方側壁と他方側壁との間に補助材が設けてあり、補助材は一方側壁を有し、障子上部が上枠の障子案内溝に案内してあり、上框の他方側壁と補助材の一方側壁とが上枠の障子案内溝の他方側の垂下片と見込方向で重合しており、補助材は、一方側壁の上端が上框の他方側壁の上端よりも上方に位置するように上方に付勢してあるので、障子が下がって上框の他方側壁の上枠の障子案内溝との掛かりがなくなっても、補助材の一方側壁が上枠に引っ掛かることで、障子が枠から外れるのを防止できる。
【図面の簡単な説明】
【０００８】
【図１】本発明の一実施形態に係る建具の縦断面図である。
【図２】（ａ）は同建具の外障子の平面図、（ｂ）は同外障子の上部の室内側正面図である。
【図３】図２のＡ−Ａ断面図である。
【図４】樹脂部品及び板バネの斜視図である。
【図５】風止め板の斜視図である。
【図６】同建具の外障子及び内障子が下がったときの状態を示す縦断面図である。
【図７】外障子及び内障子を上下枠間に建て込むときの状態を示す縦断面図である。
【図８】本発明の建具の他の実施形態を示す図であって、（ａ）は内障子を全開にしたときの横断面図、（ｂ）はこのときの建具上部の室内側正面図である。
【図９】内障子の上框に設けられる振れ止めの取付状態を示す縦断面図である。
【発明を実施するための形態】
【０００９】
以下、本発明の実施の形態を図面に基づいて説明する。図１〜３は、本発明の建具の一実施形態を示している。この建具は、ビル用の引違い窓に適用したものであって、図１に示すように、躯体（図示省略）の開口部に取付けられる枠１と、枠１内に引違い状に開閉自在に設けた外障子２と内障子３を備える。
枠１は、上枠１１と下枠と左右の縦枠を四周枠組みして構成してある。外障子２と内障子３は、上框４と下框と戸先框１２と召合せ框１３とを四周框組みし、その内側に複層ガラス１４を嵌め込んで構成してある。
【００１０】
上枠１１は、図１に示すように、室外側端部に室外側垂下片１５を有し、室外側垂下片１５の室内側に外障子２の上部を案内する障子案内レール９が垂下して設けてある。さらに上枠１１は、室内外方向の中間に中間垂下片１６を有し、室内側端部に室内側垂下片１０を有し、中間垂下片１６と室内側垂下片１０とで内障子３の上部を案内する障子案内溝１７を形成している。中間垂下片１６と室内側垂下片１０の下部には、室外側に向けてタイト材１８が設けてあり、各タイト材１８が外障子２の室内側面と内障子３の室内側面にそれぞれ当接している。
外障子２と内障子３との召合せ部の上方の上枠１１の障子案内溝１７内には、風止め板１９が設けてある。風止め板１９は、上枠１１に係合取付けされる基部２０と、基部２０より左右方向に間隔をおいて垂下した複数の垂下片２１を有している。また上枠１１は、額縁等に重ねてねじ止めされるアングル２２が室内側に突出して設けてある。
【００１１】
外障子２の上框４は、図１，３に示すように、外壁５と内壁６とで上向きに開口する溝２３を形成してあり、当該溝２３内にアルミニウム合金の押出形材よりなる補助材７が設けてある。補助材７は、図２に示すように、上框４の略全長に亘って設けてある。補助材７は、図１，３に示すように、室外側に起立する外壁８と、室内側に起立する内壁２４と、外壁８と内壁２４の下部を繋ぐ横壁２５とを有する略コ字形断面に形成され、外壁８の方が内壁２４よりも上方にのびている。そして、上框４の内外壁５，６と補助材７の外壁８とが上枠１１の障子案内レール９と見込方向で重合している。
また補助材７は、図２に示すように、左右両端部下面側に板バネ２６，２６が設けてあり、図１，３に示すように、板バネ２６，２６により外壁８の上端が上框４の内壁６の上端よりも上方に位置するように上方に付勢してある。補助材７は、板バネ２６，２６で上向きに付勢された状態で上框４の溝２３内で上下動可能となっており、外壁８の上端が上框４の内壁６の上端と同じ高さになるまで下降可能である。補助材７は、図３に示すように、上框４の外壁５と内壁６とで上下動可能にガイドされると共に、外壁８の室外側面と内壁２４の室内側面に設けた上下の突起２７と、上框４の溝２３内に設けられた上下の突起２８とにより、上下に動ける範囲が規制されている。
通常の使用状態においては、補助材７の外壁８は、上枠１１の室外側垂下片１５及び障子案内レール９と見込方向に離間しており、補助材７の外壁８の上端は上枠１１の内周側面から上下方向に離間している。すなわち補助材７は、上枠１１と当接しないようにしてある。
【００１２】
図２に示すように、上框４の長手方向端部と戸先框１２及び召合せ框１３との間には樹脂部品２９，２９が設けてある。樹脂部品２９は、図４に示すように、障子案内レール９が通る溝を有する略Ｕ字形の基部３０と、基部３０の下部より上框４の長手方向中央側に突出して設けたバネ保持部３１を有している。樹脂部品２９は、図３に示すように、基部３０に形成した溝３２に上框４の溝２３内に設けられた突起２８を係合し、上框４の溝２３内に保持してある。補助材７は、図２に示すように、左右両側の樹脂部品２９，２９の基部３０に挟まれており、さらに基部３０には、図３，４に示すように、外壁８が上下にまっすぐスライドするようにガイドするガイド部３３を有しているので、補助材７が左右方向や室内外方向に傾いて噛み込んだりすることがなく、スムーズに上下にスライドする。バネ保持部３１には、板バネ２６の外側の端部が保持してある。
【００１３】
次に補助材７等の取付け方を説明する。補助材７は、外障子２を框組みする前に、上框４の一方の小口より長手方向にスライドさせて上框４の溝２３内に配置される。その後、上框４の両端の小口より、図４に示すように板バネ２６を取付けた樹脂部品２９を上框４の溝２３内に差し入れる。その後、図２に示すように、上框４の両端をシーラー３６を挟んで戸先框１２及び召合せ框１３の内周側面に突き当て、側方からのねじ３８で戸先框１２及び召合せ框１３を上框４と連結固定する。
【００１４】
以上、外障子２について述べたが、内障子３の上框４にも外障子２と同じように、補助材７、樹脂部品２９及び板バネ２６が設けてあり（図１参照）、上框４の内外壁５，６と補助材７の外壁８とが上枠１１の障子案内溝１７の室内側垂下片１０と見込方向で重合している。上枠１１の障子案内溝１７の垂下片１０，１６と補助材７の外壁８との間には隙間が設けてあり、通常の使用状態では補助材７が上枠１１と当接しないようにしてある。そして補助材７は、外壁８の上端が上框４の内壁６の上端よりも上方に位置するように上方に付勢してある。
上枠１１の障子案内溝１７内には、先に述べたように内外障子２，３の召合せ部上方に風止め板１９が設けてあり、風止め板１９の垂下片２１には、図１，５に示すように、補助材７の外壁８が通過できる切欠き３４が設けてある。
このように、風止め板１９の垂下片２１に補助材７の外壁８が通過できる切欠き３４が設けてあることで、内障子３を開き側に摺動させたときに補助材７の外壁８が風止め板１９の垂下片２１と干渉して垂下片２１が損傷したり、内障子３の摺動が重くなったりするのを防止できる。
【００１５】
図６は、地震等による躯体の下がりなど、何らかの原因で外障子２と内障子３が下がったときの状態を示している。このように本建具は、外障子２及び内障子３が下がって障子上部の上枠１１との掛かりが無くなったときに、各障子２，３の上框４に設けた補助材７の外壁８が上枠１１の室外側垂下片１５と室内側垂下片１０にそれぞれ引っ掛かることで、外障子２が室外側に、内障子３が室内側に外れるのを防止することができる。
図７は、外障子２と内障子３を上下枠間に建て込むときの状態を示している。同図に示すように、外障子２は室外側から、内障子３は室内側から上下けんどんにて上下枠間に建て込まれるが、その際に補助材７の外壁８は上枠１１の下面に当たって障子内部に引っ込むため、支障なく障子２，３を建て込むことができる。
【００１６】
以上に述べたように本建具は、外障子２の上框４の外壁５と内壁６との間に補助材７が設けてあり、補助材７は外壁８を有し、上框４の内壁６と補助材７の外壁８とが上枠１１の障子案内レール９と見込方向で重合しており、補助材７は、外壁８の上端が上框４の内壁６の上端よりも上方に位置するように上方に付勢してあるので、外障子２が下がって上框４の内壁６の障子案内レール９との掛かりがなくなっても、補助材７の外壁８が上枠４の室外側垂下片１５に引っ掛かることで、外障子２が枠１から室外側に外れるのを防止できる。
また本建具は、内障子３の上框４の外壁５と内壁６との間に補助材７が設けてあり、補助材７は外壁８を有し、内障子３の上部が上枠１１の障子案内溝１７に案内してあり、上框４の内壁６と補助材７の外壁８とが上枠１１の障子案内溝１７の室内側垂下片１０と見込方向で重合しており、補助材７は、外壁８の上端が上框４の内壁６の上端よりも上方に位置するように上方に付勢してあるので、内障子３が下がって上框４の内壁６の上枠１１の室内側垂下片１０との掛かりがなくなっても、補助材７の外壁８が上枠１１の室内側垂下片１０に引っ掛かることで、内障子３が枠１から室内側に外れるのを防止できる。
外障子２及び内障子３の補助材７は、通常の使用状態では上枠１１と当接しないので、外障子２及び内障子３の摺動が重くならない。
さらに本建具は、補助材７が上框４の略全長に亘って設けてあるので、障子２，３が下がって補助材７の外壁８が上枠１１に引っ掛かったときに、補助材７の外壁８が変形しにくく、障子２，３の外れを防ぐ効果が高い。さらに障子２，３は、上框４の長手方向端部と縦框（戸先框１２，召合せ框１３）との間に樹脂部品２９，２９を有し、補助材７が両側の樹脂部品２９，２９の間で上下動可能に保持してあることで、補助材７がスムーズに上下動し、外れ止め機能を安定して働かせられる。さらに、樹脂部品２９に補助材７の外壁８をガイドするガイド部３３を設けたので、補助材７がより一層スムーズに上下動する。さらに、補助材７を付勢するバネ（板バネ２６）を樹脂部品２９に保持したことで、バネが外れたりすることがなく、補助材７に付勢力を安定して働かせられる。
さらに本建具は、外れ止めのための部品（補助材７、樹脂部品２９及び板バネ２６）が上框４内に収まり、縦框１２，１３に特別な加工等が不要なため、障子２，３に外れ止め機能を付加するのが容易である。また、上框４にも外れ止めのための部品を取付けるための特別な加工等が不要であり、外れ防止機能付きの障子と外れ防止機能無しの障子で、上框４を兼用できる。さらに、補助材７と樹脂部品２９と板バネ２６は、外障子２と内障子３で共通のため、コストを削減できる。
【００１７】
図８は、本発明の建具の他の実施形態を示している。本実施形態では、内障子３の補助材７を戸先框１２に隣接する短い範囲にだけ設けており、さらに、内障子３を全開にしたときに補助材７の外壁８が風止め板１９と干渉しないように、外壁８に切欠き３５を設けている。なお補助材７は、先の実施形態と同一の形材で形成している。補助材７の戸先側（図中右側）に位置する樹脂部品２９は、先に説明した実施形態と同一のものであり、補助材７の戸尻側（図中左側）で上框４の長手方向中間部に位置する樹脂部品３７は、内障子３上部の室内外方向の振れを規制する振れ止め（図９参照）と一体に形成してある。
本実施形態によれば、先の実施形態のように風止め板１９の垂下片２１に補助材７の外壁８が通過できる切欠きを設ける必要がなく、通常の風止め板を用いることができる。
【００１８】
本発明は以上に述べた実施形態に限定されない。上框や補助材の形状、材質は、適宜変更することができる。補助材を上方に付勢する部材の材質、形態は問わない。補助材を外障子又は内障子の一方にだけ設けたものでもよい。本発明の建具は、引違い窓に限らず、片引き窓や引き込み窓に適用することもできる。
【符号の説明】
【００１９】
１  枠
２  外障子（障子）
３  内障子（障子）
４  上框
５  上框の外壁（上框の一方側壁）
６  上框の内壁（上框の他方側壁）
７  補助材
８  補助材の外壁（補助材の一方側壁）
９  障子案内レール
１０  室内側垂下片（障子案内溝の他方側の垂下片）
１７  障子案内溝
【図１】
2019203378.tif 000003
【図２】
2019203378.tif 000004
【図３】
2019203378.tif 000005
【図４】
2019203378.tif 000006
【図５】
2019203378.tif 000007
【図６】
2019203378.tif 000008
【図７】
2019203378.tif 000009
【図８】
2019203378.tif 000010
【図９】
2019203378.tif 000011